(57)【特許請求の範囲】
【請求項１】
紙片の一部に切り込みを形成するための成形方法において、該切り込みを形成するための図柄刃等の切り込み刃を有する腐食板を、型板に形成したセット孔内に入れ、該腐食板とセット孔との隙間に厚みの異なる又は厚みの薄い複数枚の調整板を挿入して前記腐食板の前記セット孔に対する位置調整が行えるようにし、
前記型板には、紙片に折り線を形成するための筋刃および切り溝を形成するための刃が一体的に形成されていることを特徴とする紙片への切り込み成形方法。
【請求項２】
前記セット孔内に止め金具を固定し、この止め金具と前記腐食板との隙間に前記調整板を挿入して前記腐食板の前記セット孔に対する位置調整を行うようにしたことを特徴とする請求項１記載の紙片への切り込み成形方法。
【請求項３】
文字や図形を浮き出すための凹凸型の一方をプレス機械の固定台に取付けられた下型に、他方をプレス機械の移動台に取付けられた上型に固定して紙片の一部に浮き出しを形成するための成形方法において、前記凹凸型の一方が固定される上型あるいは下型に形成されたセット孔内に挿入し、該セット孔とセット孔内に挿入された前記凹凸型の何れかとの隙間に厚みの異なる又は厚みの薄い複数枚の調整板を挿入して前記凹凸型の前記セット孔に対する位置調整が行えるようにし、
前記セット孔が形成された上型あるいは下型には、紙片に折り線を形成するための筋刃および切り溝を形成するための刃が一体的に形成されていることを特徴とする紙片への浮き出し成形方法。
【請求項４】
前記セット孔内に止め金具を固定し、この止め金具とセット孔内に挿入された凹凸型の何れかとの隙間に前記調整板を挿入して前記凹凸型の前記セット孔に対する位置調整を行うようにしたことを特徴とする請求項３記載の紙片への浮き出し成形方法。
【発明の詳細な説明】
【０００１】
【発明の属する技術分野】
本発明は紙片、例えば、紙片の一部に切り込みを形成する、あるいは、紙片の一部に浮き出しを形成する方法、および、前記切り込みあるいは浮き出しを形成するための型に関する。
【０００２】
【従来の技術】
金属表面の一部を腐食し、切断あるいは切り込み用の刃部を形成した型は、紙片全体から所望の形状に打ち抜く刃部と、紙片の一部に切り込みを入れる刃部および折れ線を形成する筋刃と呼ばれる鈍角な刃部とが一体的に形成された型が使用されていた。
【０００３】
また、例えば、パンフレットやカタログを収容するための袋部を有するポケットファイルの表面に浮き出しを形成する場合にあっても、該浮き出しを形成するための雄型あるいは雌型は、前記浮き出し部分をポケットファイル全体を打ち抜くための型の一部に形成されていた。
【０００４】
【発明が解決しようとする課題】
ところで、前者の型にあっては、切断および切り込み用の刃部および鈍角の刃部を腐食によって形成した場合には、型としてのコストが高く加工賃が高くなり、そのため型抜き作業のコストが高くなるといった問題があった。
【０００５】
また、後者にあっても、ポケットファイル全体を打ち抜くための型の一部に浮き出し部分を一体的に形成することから、型としてのコストが高くなり、従って、作業コストが高くなるといった問題があった。
【０００６】
本発明は前記した問題点を解決せんとするもので、その目的とするところは、切り込みを形成する部分のみに腐食板を使用し、この腐食板を型に対して位置決めして固定し、または、浮き出し部分のみを他の部分とは分離し、この浮き出し部分を型に対して位置決めして固定するようにしたので、型代のコスト低減が図れ、加工賃の低減を図ることができる紙片への切り込み又は浮き出し成形方法およびその型を提供せんとするにある。
【０００７】
【課題を解決するための手段】
本発明に係る紙片への切り込み成形方法は前記した目的を達成せんとするもので、紙片の一部に切り込みを形成するための成形方法において、該切り込みを形成するための図柄刃等の切り込み刃を有する腐食板を、型板に形成したセット孔内に入れ、該腐食板とセット孔との隙間に厚みの異なる又は厚みの薄い複数枚の調整板を挿入して前記腐食板の前記セット孔に対する位置調整が行えるようにし、前記型板には、紙片に折り線を形成するための筋刃および切り溝を形成するための刃が一体的に形成されていることを特徴とする。
【０００８】
また、前記セット孔内に止め金具を固定し、この止め金具と前記腐食板との隙間に前記調整板を挿入して前記腐食板の前記セット孔に対する位置調整を行うようにすることが望ましい。
【０００９】
本発明に係る紙片への浮き出し成形方法は前記した目的を達成せんとするもので、文字や図形を浮き出すための凹凸型の一方をプレス機械の固定台に取付けられた下型に、他方をプレス機械の移動台に取付けられた上型に固定して紙片の一部に浮き出しを形成するための成形方法において、前記凹凸型の一方が固定される上型あるいは下型に形成されたセット孔内に挿入し、該セット孔とセット孔内に挿入された前記凹凸型の何れかとの隙間に厚みの異なる又は厚みの薄い複数枚の調整板を挿入して前記凹凸型の前記セット孔に対する位置調整が行えるようにし、前記セット孔が形成された上型あるいは下型には、紙片に折り線を形成するための筋刃および切り溝を形成するための刃が一体的に形成されていることを特徴とする。
【００１０】
また、前記セット孔内に止め金具を固定し、この止め金具とセット孔内に挿入された凹凸型の何れかとの隙間に前記調整板を挿入して前記凹凸型の前記セット孔に対する位置調整を行うようにすることが望ましい。
【００１１】
【発明の実施の形態】
以下、本発明に係る紙片への切り込みを成形する方法に用いる型を図面と共に説明する。
本発明の紙片に切り込みを形成するものとして、例えば、図１〜３に示す御神籤を例にとって説明する。
図１においてＡは御神籤１の複数枚を印刷したシートにして、各御神籤１の表面には折り線１１，１１′が５個形成され６欄に分割され、各欄には以下に示す図柄や文字欄が印刷されている。なお、裏面は白紙の状態に形成されている。
【００１２】
各御神籤１の表面には図２に示す如く、１欄目と２欄目に跨がって梅の花のような花図柄１ａが印刷されると共に、１欄目には花図柄１ａに対する解説文１ｂが印刷されている。なお、花図柄１ａは図２において花弁の左右２ヵ所１ａ１  を除いて切り込み１ａ２  が形成されている。また、２欄目には花図柄１ａについて万葉集等において古人が読んだ和歌１ｃ等が印刷されている。
【００１３】
さらに、３欄と４欄には図３に示すように折り畳んだ時の表紙となる表図柄１ｄが印刷されている。５欄には占い文章が印刷され、かつ、丸められた占い籤２を差し込むための切り溝１ｅが形成され、６欄には願い事を記載するための記入欄１ｆが形成されている。
【００１４】
このように形成された御神籤１は、１欄と６欄の裏面における略半分の部分で糊によって接着し、かつ、１欄目と２欄目、３欄目と４欄目および５欄目と６欄目の折り線１１，１１′を内側に折り返し、また、２欄目と３欄目および４欄目と５欄目を外側に折り返すことにより図３に示すようなブック状になる。なお、１欄目と２欄目の折り返し時において、花図柄１ａの縦方向中心線を外側に向かって折り返し、１欄目と２欄目を開いた時に花図柄１ａが前方に飛び出るようにする。
【００１５】
次に、前記したシートＡから各御神籤１における花図柄１ａの花弁の切り込み１ａ２  および占い籤２を差し込むための切り込み１ｅを形成し、かつ、折り線１１，１１′を形成するための型３について図４〜図６と共に説明する。
【００１６】
型３は型抜き台Ｂに固定される木製の型板３１と、該型板３１に前記御神籤１における折り線１１を形成するための４本の上縁が鈍角に形成された筋刃３２と、占い籤２を差し込むための切り溝１ｅを形成するための切り込み刃３３および花図柄１ａの切り込み１ａ２  と、該花図柄１ａの中心位置の折り線１１′を形成するための抜き型４をセットするための四角いセット孔３４とが形成されている。
【００１７】
なお、前記切り込み刃３３の両側には、該刃３３による切り込み後における刃３３とシートＡとの抜けを良くするためのスポンジ等の弾性材３５が、該刃３３の両側に固定されている。
【００１８】
前記セット孔３４内に固定される抜き型４は、金属台４１と、該金属台４１上に固定される腐食板４２とから構成され、腐食板４２には前記花図柄１ａの切り込み１ａ２  を形成するための図柄刃４２ａと、花図柄１ａの中心部分の折り線１１′を形成するための筋刃４２ｂとが金属腐食によって形成されている。
【００１９】
次に、型板３１を型抜き台Ｂに固定し、抜き型４をセット孔３４に位置決めする方法について説明する。
先ず、型板３１を型抜き台Ｂに公知の止め手段によって固定する。次いで、セット孔３４に抜き型４を入れた後、セット孔３４の長手方向と短手方向のそれぞれ１ヵ所に止め金具５，５をボルト５ａ，５ａによって型抜き台Ｂに固定する。
【００２０】
そして、前記止め金具５，５を固定した状態で、腐食板４２が固定された金属台４１をセット孔３４内に入れ、止め金具５，５と金属台４１との隙間に厚みの薄い複数枚の調整板６を差し込むことにより、金属台４１を型板３１のセット孔３４に対して固定する。
【００２１】
このように抜き型４が固定された型３の上に、多数の御神籤１が印刷されたシートＡを載せて、型抜き台Ｂを図６に示すように矢印の方向に移動させると共にドラムＣを矢印方向に回転させることにより、各御神籤１における折り線１１，１１′が筋刃３２，４２ｂとによって形成され、また、切り溝１ｅが切り込み刃３３により、かつ、花図柄１ａの切り込み１ａ２  が図柄刃４２ａによって形成されるものである。
【００２２】
ここで、切り溝１ｅと折り線１１は、シートＡと型３との位置決めが正確に行われるので、ずれが生じることはないが、花図柄１ａの切り込み１ａ２  と折り線１１′は抜き型４が型３に対する嵌め込みであることから、ずれが生じる可能性がある。
【００２３】
そこで、花図柄１ａの切り込み１ａ２を行う図柄刃４２ａが切り込み１ａ２と、また、折り線１１’を行う筋刃４２ｂ折り線１１’と一致するように、前記した作業を繰り返しながら、抜き型４の位置調整を厚みの異なる調整板６を差替えながら行うようにすれば、正確な切り込み１ａ２を形成することができる。
【００２４】
そして、前記したように折り線１１，１１′と切り込み１ａ２  および切り溝１ｅが形成されたシートＡを裁断機によって、各御神籤１にカットすると共に前記した如き折り線１１，１１′に従って織り込み、両端の紙片を接着することにより図３に示す御神籤１が完成するものである。
【００２５】
なお、前記した実施の形態にあっては、シートＡから各御神籤１をカットする手段として裁断機を使用した方法について説明したが、型抜き台Ｂに各御神籤１の外周をカットするための外周刃を形成し、前記折り線１１，１１′や切り込み１ａ２  および切り溝１ｅの形成と同時に各御神籤１をカットするようにしてもよい。
【００２６】
次に、表面に浮き出しを形成されたパンフレットやカタログを収容するための袋部を有するポケットファイルについて図７と共に説明する。
このポケットファイル７は一枚の厚紙Ｄを表表紙７１と裏表紙７２とに裁断すると共に、各表紙７１，７２の下片を三角形状に延長しポケット部７１ａ，７２ａを形成すると共に糊代７１ａ１  ，７２ａ１  を各表紙７１，７２の裏面に接着したものである。そして、表表紙７１に文字や図柄（実施の形態のものは文字）を浮き出し７１ｂを形成したものである。
【００２７】
次に、一枚の厚紙Ｄから折り線と外周を切り抜き、かつ、浮き出し７１ｂを形成してポケットファイル７を製造するための上下型８，９について図８と共に説明する。
【００２８】
先ず、プレス機械の固定台（図示せず）に固定される下型９は金属板や硬質合成樹脂板で構成され、表面の一部（ポケットファイル７の浮き出し７１ｂに対応する部分）に、浮き出し７１ｂの凸型９が形成されている。
【００２９】
一方、プレス機械の移動台（図示せず）に固定される上型８は木製で構成されており、この上型８にはポケットファイル７の外周形状を打ち抜くための外周刃８１（図８において実線で示す）と折り線を形成するための筋刃８２（図８において点線で示す）が取付けられている。
【００３０】
また、上型８のポケットファイル７における浮き出し７１ｂに相当する部分には、四角形状のセット孔８３が形成されており、この孔８３には前記凸型９に対応する凹型１０が嵌め込まれている。前記孔８３は凹型１０よりも大きく形成され、凹型１０の位置合わせが行えるようになっている。
【００３１】
すなわち、セット孔８３内には移動台にボルト１０１ａによって固定される止め金具１０１が取付けられ、かつ、この止め金具１０１と凸型１０との間および該凸型１０の片側と上型８との間には調整板１０２が差し込まれ、これにより、セット孔８３に対する凸型１０の上下方向の調整が行えるようになっている。また、凸型１０の左右にも調整板１０２が差し込まれ、セット孔８３に対する凸型１０の左右方向の調整が行えるようになっている。
【００３２】
このように構成した下型９をプレス機械の固定台側に取付け、また、上型８をプレス機械の移動台側に取付けた後、下型９の上に厚紙Ｄを下型９の上に載せ、次いで、プレス機械の移動台を下降することによって、上型８と下型９との間で厚紙Ｄはプレスされる。
【００３３】
このプレスによって、ポケットファイル７の外周が外周刃８１によりカットされると共に筋刃８２により折り線８２が形成される。また、凸型９１と凹型１０との間にある厚紙Ｄには浮き出し７１ｂが形成される。なお、このプレス加工において、凸型９１と凹型１０との間で位置ずれが生じている場合には、前記調整板１０２の厚みや枚数を交換して両者の位置ずれ調整することにより、凸型９１と凹型１０を一致させることができる。
【００３４】
そして、前記した如く打ち抜いた紙片を、折り線に従って折り込み、糊代部７１ａ１  によって接着すれば、図７に示すポケットファイル７を製作できるものである。
【００３５】
【発明の効果】
本発明の紙片への切り込み成形方法は前記したように、切り込みを形成するための図柄刃等の切り込み刃を有する腐食板を、型板に形成したセット孔内に入れ、該腐食板とセット孔との隙間に調整板を挿入して位置調整ができるようにしたので、型代のコスト低減が図れ加工賃の低減を図ることができるものである。
【００３６】
また、止め金具と調整板との両方を使用することにより、位置調整を簡単に行うことができ、さらに、腐食板を取付ける型板に紙片に折り線を形成するための筋刃および切り溝等を形成するための刃を一体的に形成したので、腐食板による切り込みと折り線や切り溝との位置ずれを防止できるものである。
【００３７】
また、浮き出し成形方法は前記したように、凹凸型の一方が固定される上型あるいは下型に形成されたセット孔内に挿入し、該セット孔とセット孔内に挿入された前記凹凸型の何れかとの隙間に調整板を挿入して位置調整が行えるようにしたので、型代のコスト低減が図れ加工賃の低減を図ることができるものである。
【００３８】
また、止め金具と調整板との両方を使用することにより、位置調整を簡単に行うことができ、さらに、セット孔が形成された上型あるいは下型に紙片に折り線を形成するための筋刃および切り溝等を形成するための刃を一体的に形成したので、腐食板による切り込みと折り線や切り溝との位置ずれを防止できる等の効果を有するものである。
【図面の簡単な説明】
【図１】本発明の紙片への切り込み成形方法に用いる御神籤を印刷したシートの正面図である。
【図２】１つの御神籤をカットした正面図である。
【図３】同上の御神籤を組み立てた状態の斜視図である。
【図４】型板の正面図である。
【図５】同上の一部を分解した斜視図である。
【図６】型抜き状態を示す側面図である。
【図７】浮き出しが形成されたポケットファイルの斜視図である。
【図８】同上のポケットファイルを成形するための上型と下型の平面図である。
【符号の説明】
Ａ，Ｄ      シート
１ａ２        切り込み
１ｅ        切り溝
３１        型板
３２        筋刃
３３        切り込み刃
３４，８３  セット孔
４          腐食板
５，１０１  止め金具
６，１０２  調整板
【図１】
0003619658.tif 000002
【図２】
0003619658.tif 000003
【図３】
0003619658.tif 000004
【図４】
0003619658.tif 000005
【図５】
0003619658.tif 000006
【図６】
0003619658.tif 000007
【図７】
0003619658.tif 000008
【図８】
0003619658.tif 000009